(57)【要約】【課題】  低コストで簡易に製造しつつ、ケース本体の台紙から離脱を確実に防止して対象物を適切に収納する。【解決手段】    収納ケース１０は、台紙１２と、台紙１２に取り付けられ対象物を収納するケース本体１４とから成る。台紙１２は、台紙１２の一部を切り込んで形成されケース本体１４の一部に挟み込まれる保持部１８と、台紙１２の一部を切り込んで形成され保持部１８を挟み込んだケース本体の一部を抑える抑え部２０と、ケース本体１４の一部の保持部１８への挿入を許容する挿入切り込み部２２とを有する。ケース本体１４は、対象物を覆う収納部２４と、収納部２４から延び折り返されて台紙１２の保持部１８を挟み込む挟持片２６と、収納部２４の挟持片２６が設けられた側とは異なる側から延びるようにして形成された係止片２８とを有し、この係止片２８は挟持片２６の折り返し部分に形成された係止用切り込み２６Ａに係合する係止部２８Ａを有している。【選択図】        図１
2014037258.tif 000002
【特許請求の範囲】
【請求項１】
台紙と前記台紙に取り付けられ対象物を収納するケース本体とから成る収納ケースであって、前記台紙は、前記台紙の一部を切り込んで形成され前記ケース本体の一部に挟み込まれる保持部と、前記台紙の一部を切り込んで形成され前記保持部を挟み込んだ前記ケース本体の一部を抑える抑え部と、前記ケース本体の一部の前記保持部への挿入を許容する挿入切り込み部とを有し、前記ケース本体は、前記対象物を覆う収納部と、前記収納部から延び折り返されて前記台紙の前記保持部を挟み込む挟持片と、前記収納部の前記挟持片が設けられた側とは異なる側から延びるようにして形成された係止片とを有し、前記係止片は前記挟持片の折り返し部分に形成された係止用切り込みに係合する係止部を有していることを特徴とする収納ケース。
【請求項２】
請求項１に記載された収納ケースであって、前記ケース本体は、平面状に形成されたケース用シートを折り曲げ加工することにより立体的形状に成形されていることを特徴とする収納ケース。
【請求項３】
請求項１又は請求項２のいずれかに記載された収納ケースであって、前記ケース本体の前記挟持片は、弾性変形により折り返されて、復元力による拡開により前記台紙の前記挿入切り込み部に係止することを特徴とする収納ケース。
【請求項４】
請求項１乃至請求項３のいずれかに記載された収納ケースであって、前記ケース本体の前記挟持片は、折り返されて前記保持部を挟み込んだ場合に、前記台紙の前記保持部及び前記抑え部を形成する切り込みを覆う位置まで延びるように形成されていることを特徴とする収納ケース。
【請求項５】
請求項１乃至請求項４のいずれかに記載された収納ケースであって、前記ケース本体の前記係止部は、少なくとも、前記ケース本体を前記台紙に取り付けた場合に前記収納部のうち前記台紙の前記挿入切り込み部に対応する側の一端に形成されていることを特徴とする収納ケース。
【請求項６】
請求項１乃至請求項５のいずれかに記載された収納ケースであって、前記ケース本体の前記挟持片は、折り返しの裏面のうち前記係止片とは反対側の一端のみが延出して１枚状に形成され、前記台紙の挿入切り込み部への前記ケース本体の挿入を案内する挿入案内部が形成されていることを特徴とする収納ケース。
【請求項７】
請求項１乃至請求項６のいずれかに記載された収納ケースであって、前記台紙は、台紙用紙片を折り畳んで形成された表面及び裏面とから成り、前記保持部及び前記抑え部並びに前記挿入切り込み部は、前記表面側に形成されていることを特徴とする収納ケース。
【請求項８】
請求項１乃至請求項７のいずれかに記載された収納ケースであって、前記ケース本体の前記挟持片は、前記台紙の表面及び裏面に挟まれて前記台紙に取り付けられることを特徴とする収納ケース。
【請求項９】
請求項１乃至請求項８のいずれかに記載された収納ケースであって、前記ケース本体の前記挟持片及び前記台紙の保持部は、前記ケース本体の前記収納部の左右に複数設けられていることを特徴とする収納ケース。
【請求項１０】
請求項１乃至請求項９のいずれかに記載された収納ケースであって、前記台紙の保持部は、前記ケース本体の挿入方向における複数の箇所に設けられていることを特徴とする収納ケース。
【発明の詳細な説明】
【技術分野】
【０００１】
本発明は、例えば、化粧品や筆記具等の対象物を販売等のための包装として収納する収納ケース（いわゆるブリスターパック）の改良に関し、特に、低コストで簡易に製造しつつ、対象物を適切に収納することに関するものである。
【背景技術】
【０００２】
台紙と、この台紙に取り付けられたケース本体により対象物を包装する収納ケース（ブリスターパック）においては、一般に、予め立体状に形成されたケース本体を、台紙に取り付けて形成されている（例えば、特許文献１参照）。
【０００３】
しかし、このような予め立体状に形成されたケース本体を成形するには、金型が必要となり、その金型を製造するコストが嵩むため、ロットが多い対象物の場合には多数製造することにより、金型製作の費用を回収することができるが、ロット数が少ない対象物の場合には、金型製作の費用を充分に回収することが困難で、負担が増加する結果、従来の収納ケースでは、適切に対応することができない問題があった。
【０００４】
また、収納ケースのうち、特に、金型により製造されるケース本体は、収納すべき対象物の形状に合わせて成形する必要があるため、多種類の対象物に対応するためには、それだけ異なる種類の金型を用意する必要が生じるので、とりわけ、多種多様の製品に対応するのには必ずしも適切ではなく、その結果、需要者にニーズに迅速かつ弾力的に応えることができない問題があった。
【０００５】
更に、この場合、曲面状に立体成形されることが多いが、これだと、ケース本体の表面に適切に印刷加工をすることが困難となり、仮に高度な曲面印刷技術を施すにしても、それだけの手間と時間を要する問題があり、実際には、対応がなされていなかったのが現実である。
【０００６】
一方、このケース本体の台紙への取付方法についても、従来は、ケース本体を、立体状の収納部と、この収納部から延びる平坦状のフランジ部分とから形成し、この平坦状のフランジ部分を、台紙に熱圧着したり、あるいは、台紙に設けられた切り込みに差し込んで取り付けていた（特許文献１参照）。
【０００７】
しかし、熱圧着をするためには、そのための装置が必要となるため、圧着のための装置がある場所でないと、対象物の封入作業を行うことできないと共に、手間とコストが掛かる。また、切り込みにケース本体の平坦状のフランジ部分を単に差し込むだけでは、台紙から抜き取られて盗難に遭うおそれがあるため、ホッチキスやテープ等で固定することが必要となり、やはり、手間が掛かると共に、見栄えも低下する問題があった。このため、差し込んだ上で抜け止めのための工夫はされてはいるものの、強度の点では、必ずしも充分とはいえなかった。
【先行技術文献】
【特許文献】
【０００８】
【特許文献１】特開平１１−１７１２４３号公報
【発明の概要】
【発明が解決しようとする課題】
【０００９】
本発明が解決しようとする課題は、上記の問題点に鑑み、低コストで簡易に製造しつつ、対象物を適切に収納することができる収納ケースを提供することにある。
【課題を解決するための手段】
【００１０】
本発明は、上記の課題を解決するための第１の手段として、台紙とこの台紙に取り付けられ対象物を収納するケース本体とから成る収納ケースであって、台紙は、台紙の一部を切り込んで形成されケース本体の一部に挟み込まれる保持部と、台紙の一部を切り込んで形成され保持部を挟み込んだケース本体の一部を抑える抑え部と、ケース本体の一部の保持部への挿入を許容する挿入切り込み部とを有し、ケース本体は、対象物を覆う収納部と、この収納部から延び折り返されて台紙の保持部を挟み込む挟持片と、収納部の挟持片が設けられた側とは異なる側から延びるようにして形成された係止片とを有し、この係止片は挟持片の折り返し部分に形成された係止用切り込みに係合する係止部を有していることを特徴とする収納ケースを提供するものである。
【００１１】
本発明は、上記の課題を解決するための第２の手段として、上記第１の解決手段において、ケース本体は、平面状に形成されたケース用シートを折り曲げ加工することにより立体的形状に成形されていることを特徴とする収納ケースを提供するものである。
【００１２】
本発明は、上記の課題を解決するための第３の手段として、上記第１又は第２のいずれかの解決手段において、ケース本体の挟持片は、弾性変形により折り返されて、復元力による拡開により台紙の挿入切り込み部に係止することを特徴とする収納ケースを提供するものである。
【００１３】
本発明は、上記の課題を解決するための第４の手段として、上記第１乃至第３のいずれかの解決手段において、ケース本体の挟持片は、折り返されて保持部を挟み込んだ場合に、台紙の保持部及び抑え部を形成する切り込みを覆う位置まで延びるように形成されていることを特徴とする収納ケースを提供するものである。
【００１４】
本発明は、上記の課題を解決するための第５の手段として、上記第１乃至第４のいずれかの解決手段において、ケース本体の係止部は、少なくとも、ケース本体を台紙に取り付けた場合に収納部のうち台紙の挿入切り込み部に対応する側の一端に形成されていることを特徴とする収納ケースを提供するものである。
【００１５】
本発明は、上記の課題を解決するための第６の手段として、上記第１乃至第５のいずれかの解決手段において、ケース本体の挟持片は、折り返しの裏面のうち係止片とは反対側の一端のみが延出して１枚状に形成され、台紙の挿入切り込み部へのケース本体の挿入を案内する挿入案内部が形成されていることを特徴とする収納ケースを提供するものである。
【００１６】
本発明は、上記の課題を解決するための第７の手段として、上記第１乃至第６のいずれかの解決手段において、台紙は、台紙用紙片を折り畳んで形成された表面及び裏面とから成り、保持部及び抑え部並びに挿入切り込み部は、表面側に形成されていることを特徴とする収納ケースを提供するものである。
【００１７】
本発明は、上記の課題を解決するための第８の手段として、上記第１乃至第７のいずれかの解決手段において、ケース本体の挟持片は、台紙の表面及び裏面に挟まれて台紙に取り付けられることを特徴とする収納ケースを提供するものである。
【００１８】
本発明は、上記の課題を解決するための第９の手段として、上記第１乃至第８のいずれかの解決手段において、ケース本体の挟持片及び台紙の保持部は、ケース本体の収納部の左右に複数設けられていることを特徴とする収納ケースを提供するものである。
【００１９】
本発明は、上記の課題を解決するための第１０の手段として、上記第１乃至第９のいずれかの解決手段において、台紙の保持部は、ケース本体の挿入方向における複数の箇所に設けられていることを特徴とする収納ケースを提供するものである。
【発明の効果】
【００２０】
本発明によれば、上記のように、ケース本体の挟持片により台紙の保持部を挟み込む一方、ケース本体の挟持片を台紙の抑え部により挟持片の浮き上がりを抑えているため、収納部は台紙の前後（表裏）方向に不要に変位しないように確実に固定されると共に、ケース本体の係止片の係止部が挟持片の係止用切り込みに係止しているため、係止片が台紙の上下方向へ変位することがなく、いわば収納部の蓋止めとして適切に機能するため、対象物を適切に収納部内に保持して落下や盗難等を防止することができる上に、特別な装置や器具を用いることなくケース本体を台紙に差し込むだけで簡易に組み立てることができる実益がある。
【００２１】
また、本発明によれば、上記のように、ケース本体は、平面状に形成されたケース用シートを折り曲げ加工することにより立体的形状に成形されているため、金型を用いることなく、簡易にケース本体を立体的形状に加工することができ、製造の手間とコストを大幅に抑制することができると同時に多種多様の形状の対象物にも適切に対応することができ、更に、折り曲げ前のケース用本体はシート状であるため、ケース本体に簡易に印刷をすることができ、ケース本体に様々な意匠を施してユーザーのニーズに的確に応えることができる実益もある。
【００２２】
本発明によれば、上記のように、ケース本体の挟持片は、弾性変形により折り返されて、復元力による拡開により台紙の挿入切り込み部に係止するため、特に別個に抜け止めのための手段を設けることなく、台紙への挿入のための挟持片を設けるだけで、ケース本体の台紙からの抜けを防止することができる実益がある。
【００２３】
本発明によれば、上記のように、ケース本体の挟持片は、折り返されて保持部を挟み込んだ場合に、台紙の保持部及び抑え部を形成する切り込みを覆う位置まで延びるように形成されているため、台紙の保持部への引っかかりがより確実となり、台紙の前後（表裏）方向への変位を強固に抑制することができる実益がある。
【００２４】
本発明によれば、上記のように、ケース本体の挟持片は、折り返しの裏面のうち係止片とは反対側の一端のみが延出して１枚状に形成され、台紙の挿入切り込み部へのケース本体の挿入を案内する挿入案内部が形成されているため、挟持片をより一層簡易に台紙に差し込むことができ、対象物を収納したケース本体の台紙への取付作業の効率を向上させることができる実益がある。
【００２５】
本発明によれば、上記のように、台紙の保持部は、ケース本体の収納部の左右や、ケース本体の挿入方向における複数の箇所に設けられているため、ケース本体の挟持部をより安定的に台紙に固定させることができる実益がある。
【図面の簡単な説明】
【００２６】
【図１】本発明の収納ケースの正面側の斜視図である。
【図２】本発明の収納ケースの正面図である。
【図３】本発明の収納ケースの裏面の一部を破断した背面図である。
【図４】本発明の収納ケースの裏面の一部を破断した背面側の斜視図である。
【図５】本発明の収納ケースの図２におけるＣ−Ｃ’線の断面図である。
【図６】本発明に用いられる台紙の展開正面図である。
【図７】本発明に用いられるケース本体の展開正面図である。
【図８】本発明に用いられるケース本体の組立状態を示す斜視図である。
【図９】本発明に用いられるケース本体の斜視図である。
【図１０】本発明に用いられるケース本体を台紙に差し込む状態を示す斜視図である。
【図１１】本発明に用いられるケース本体を台紙に差し込む状態を示す正面図である。
【図１２】本発明に用いられるケース本体を台紙に差し込む状態を示す裏面の一部を破断した背面図である。
【図１３】本発明に用いられるケース本体の挟持部により台紙の第１保持部を挟み込む状態を示す正面図である。
【図１４】本発明の収納ケースの図１３におけるＡ−Ａ’線の断面図である。
【図１５】本発明に用いられるケース本体の挟持部により台紙の第１保持部を挟み込む状態を示す斜視図である。
【図１６】本発明に用いられるケース本体の挟持部により台紙の第２の保持部を挟み込む直前の状態を示す正面図である。
【図１７】本発明の収納ケースの図１６におけるＢ−Ｂ’線の断面図である。
【図１８】本発明に用いられるケース本体の挟持部により台紙の第２の保持部を挟み込む直前の状態を示す裏面の一部を破断した背面図である。
【図１９】本発明に用いられるケース本体の挟持部により台紙の第２の保持部を挟み込む直前の状態を示す斜視図である。
【発明を実施するための形態】
【００２７】
本発明を実施するための形態を図面を参照しながら詳細に説明すると、図１乃至図４は本発明の収納ケース１０を示し、この収納ケース１０は、図１乃至図４に示すように、台紙１２と、この台紙１２に取り付けられ対象物を収納するケース本体１４とから成っている。この収納ケース１０により収納される対象物としては、例えば、図示しない化粧品や筆記具等を挙げることができ、収納ケース１０は、これらの対象物を収納して店頭に展示等するために使用される。なお、収納ケース１０に収納する対象物については、その種類や大きさ等に特に限定はなく、収納すべき対象物に合わせて、収納ケース１４の形状や大きさ、材質等を適宜設定することができる。
【００２８】
（１．台紙）  
台紙１２は、特に図６に示すように、台紙用紙片１１から成り、この台紙用紙片１１を台紙折り返し線１１ａで折り返して折り畳むことにより、表面１２Ａ及び裏面１２Ｂとから形成される。この台紙１２は、図６に示す台紙用紙片１１の段階で、同一平面上において必要な印刷等をした上で、折り返して台紙１２とすることができ、特に、１枚の台紙用紙片１１へ片面印刷するだけで、片面印刷分の手間及びコストで、折り返しにより両面印刷と同様の意匠面を確保することができる点で有利である。
【００２９】
なお、台紙１２は、後述するようにケース本体１４、及び、このケース本体１４内に収納された対象物を保持する役割を有するため、これらを充分に保持することができる強度を確保することが必要であり、そのために材質や厚みを適切に設定する。具体的には、例えば、上述した化粧品や筆記具等の文房具類を保持する場合には、台紙用紙片１１としては、特に限定はなく、必要に応じて適宜選択することができるが、例えば、厚み０．４１ｍｍ程度のコートボール３１０ｇを好適に使用することができ、その他ボール紙等を使用することもできる。
【００３０】
この台紙１２には、図１乃至図４及び図６に示すように、表面１２Ａ側において、中心から左右に対称に上下方向に延びるようにして凹凸状に設けられた２つの保持用切り込み部１６が形成され、この保持用切り込み部１６により、台紙１２の一部を切り込んで形成された保持部１８及び抑え部２０が形成される。
【００３１】
具体的には、特に図６に示すように、保持部１８は、２つの保持用切り込み部１６間の間隔が広い拡幅部分において保持用切り込み部１６から台紙１２の中心側に向けて略台形状に形成される。この保持部１８は、図１乃至図４及び図１０乃至図１９に示すように、ケース本体１４を台紙１２に取り付けた場合に、ケース本体１４の一部（後述する挟持片２６）に挟み込まれ、ケース本体１４を台紙１２から離脱しないように固定する役割を有する。
【００３２】
この場合、この保持部１８は、図１乃至図４及び図６に示すように、ケース本体１４を台紙１２に取り付けた場合に、ケース本体１４の後述する収納部２４の左右に複数設けられている。従って、ケース本体１４の台紙１２からの離脱をより安定的に防止することができる。なお、保持部１８は、図示の実施の形態に示すように、台紙１２の表面１２Ａの中心から左右対称に複数設けることができるが、中心からずれた位置を基準として左右対称に設け、敢えて中心からずらした位置においてケース本体１４を保持することができるようにすることもできる。
【００３３】
また、この保持部１８は、図１乃至図４及び図６に示すように、ケース本体１４の挿入方向（図１乃至図４及び図６の上下方向）における複数の箇所（図示の実施の形態では２箇所）に設けることが望ましい。これにより、ケース本体１４の挿入方向における１箇所において設ける場合に比べて、より安定的にケース本体１４を保持することができる。なお、図示の実施の形態のように、ケース本体１４の挿入方向において２箇所に設けることが、強度及びデザイン面からして好適といえるが、ケース本体１４の挿入方向において比較的長く形成する等、充分な強度を確保することができれば、ケース本体１４の挿入方向の１箇所にのみ設けることもできるし、３箇所以上に形成することを妨げるものではない。
【００３４】
一方、抑え部２０は、特に図６に示すように、２つの保持用切り込み部１６間の間隔が狭い狭小部分において保持用切り込み部１６から台紙１２の外側に向けて拡がるように略台形状に形成される。即ち、抑え部２０は、凹凸の波線状に形成された保持用切り込み部１６を境界として保持部１８と相互に噛み合うように互い違いに形成される。
【００３５】
この抑え部２０は、図１乃至図４及び図１０乃至図１９に示すように、ケース本体１４を台紙１２に取り付けた場合に、保持部１８を挟み込んだケース本体１４の一部（後述する挟持片２６）を上方から覆い、ケース本体１４を台紙１２から離脱しないように抑える役割を有する。
【００３６】
この場合、この抑え部２０も、保持部１８と同様、図１乃至図４及び図６に示すように、ケース本体１４を台紙１２に取り付けた場合に、ケース本体１４の後述する収納部２４の左右に複数設けられている。従って、ケース本体１４の台紙１２からの離脱をより安定的に防止することができる。なお、保持用切り込み部１６のうち、この抑え部２０を形成する部分は、図１乃至図４及び図６に示すように、ケース本体１４の収納部２４の幅に合わせた位置に形成される。
【００３７】
また、抑え部２０は、図１乃至図４及び図６に示すように、ケース本体１４の挿入方向において、複数の箇所に設けられた保持部１８の間において１箇所のみ形成される代わりに、ケース本体１４の挿入方向における長さを保持部１８よりも長く設定して、充分な強度及び良好なデザインを確保している。
【００３８】
なお、図示の実施の形態では、保持部１８及び抑え部２０とも、ケース本体１４の収納部２４を中心に左右対称に形成されているが、左右対称ではなく、ケース本体１４の収納部２４を挟んだ対向面には保持部１８が存在しないように、換言すれば、保持部１８の対向面には抑え部２０が存在するように、ケース本体１４の収納部２４の左右において上下方向にずれた位置に、保持部１８や抑え部２０を形成することもできる。即ち、保持用切り込み部１６が、台紙１２の外側に向けて膨らむように切り込まれた箇所において保持部１８が形成され、内側に向けて縮まるように切り込まれた箇所において抑え部２０が形成される。
【００３９】
また、図示の実施の形態では、保持部１８及び抑え部２０を略台形状に形成しているが、これは、略四角形状に形成した場合に比べて、ケース本体１４を円滑に挿入することができるためであり、この形態が好適であるといえるが、これに限定されるものではなく、例えば、他に、保持用切り込み部１６を円弧状の波線に形成して、略半円状の保持部１８及び抑え部２０とすることもできる。いずれにせよ、保持部１８及び抑え部２０を略台形状に形成した場合を含め、特に図６に示すように、隅部を円弧状に面取りすることが望ましい。ケース本体１４を挿入する場合に、ケース本体１４の挟持片２６が、引っ掛かるのを防止して、円滑に台紙に挿入することができるからである。
【００４０】
また、台紙１２には、図６及び図１０乃至図１９に示すように、ケース本体１４の一部（挟持片２６）の保持部１８への挿入を許容する挿入切り込み部２２も形成されている。この挿入切り込み部２２は、特に図６に示すように、台紙１２の表面１２Ａにおいて、２つの保持用切り込み部１６の一端（上方側）と交差するようにして、少なくともケース本体１４の挟持片２６の幅よりも若干大きめに形成する。なお、この挿入切り込み部２２の切り込みに際しては、ケース本体１４の挿入の際に、台紙１２の表面１２Ａと裏面１２Ｂとの間を拡幅しやすいよう、挿入切り込み部２２の端部を上下方向に向けるようにして形成することが好ましい。なお、これらの挿入切り込み部２２及び保持用切り込み部１６（ひいては、保持部１８及び抑え分２０）の形成は、展開された台紙用紙片１１の段階で、台紙１２の表面１２Ａに相当する部分に、剪断機等により剪断加工をすることにより一度に形成することができる。
【００４１】
（２．ケース本体）
一方、ケース本体１４は、図１乃至図４及び図７乃至図９に示すように、対象物を覆う収納部２４と、この収納部２４から延びるようにして形成され、折り返されて台紙１２の保持部１８を挟み込む挟持片２６と、収納部２４の挟持片２６が設けられた側とは異なる側から延びるようにして形成された係止片２８と、この係止片２８の対向面側に形成された受け片３０とを有する。
【００４２】
このケース本体１４は、図７乃至図９に示すように、平面状に形成されたケース用シート１３を折り曲げ加工することにより立体的形状に成形されている。即ち、図７に示すように、ケース用シート１３において、所定の箇所に複数の折り目線３２を設けることにより、図８乃至図９に示すように、この折り目線３２に沿って木型等をあてがってケース用シート１３を折り曲げ加工することにより、収納部２４や挟持片２６、係止片２８を有する所定の形状のケース本体１４に成形する。
【００４３】
このため、金型を用いることなく、簡易にケース本体１４を立体的形状に加工することができ、製造の手間とコストを大幅に抑制することができると同時に、ケース用シート１３を裁断形状を適宜設定変更することにより、迅速に多種多様の形状の対象物にも適切に対応することができる。
【００４４】
具体的には、ケース用シート１３は、図７に示すように、収納部２４を構成する正面部２４ａ、左右の側面部２４ｂ、２４ｃ、上蓋部２４ｄ、下蓋部２４ｅを有し、このケース用シート１３を、図７乃至図９に示すように、正面部２４ａと左右の側面部２４ｂ、２４ｃとの間に形成された第１及び第２折り目線３２ａ、３２ｂ、及び、正面部２４ａと上蓋部２４ｄ、下蓋部２４ｅとの間に形成された第３及び第４の折り目線３２ｃ、３２ｄを、正面部２４ａが前面側に飛び出るように（図７の正面から見て）山折りする。
【００４５】
また、挟持片２６は、図７に示すように、収納部２４の左右の側面部２４ｂ、２４ｃから連続して延びるようにして形成され、側面部２４ｂ、２４ｃと挟持片２６との間に形成された第５及び第６の折り目線３２ｅ、３２ｆを、図７乃至図９に示すように、図７の正面から見て谷折りすることにより、収納部２４からフランジ状に突出させる。更に、挟持片２６を折り返すための第７及び第８の折り返し線（挟持用折り返し線）３２ｇ、３２ｈを、同様に山折りすることにより、台紙１２の保持部１８を上下から挟み込むことができる形状に加工する。
【００４６】
なお、この場合、挟持用折り返し線３２ｇ、３２ｈの折り返しにより、挟持片２６のうち、表面側に位置する第５及び第６の折り目線３２ｅ、３２ｆと挟持用折り返し線３２ｇ、３２ｈとの間の幅は、台紙１２の保持部１８の突出幅と、ほぼ同様の幅とする。
【００４７】
一方、挟持用折り返し線３２ｇ、３２ｈの折り返しにより、挟持片２６のうち、裏面側に位置する挟持用折り返し線３２ｇ、３２ｈと挟持片２６の端部２６ａとの間の幅は、図７に示すように、幅広に形成し、挟持片２６は、特に図３、図４、図１２、図１８に示すように、折り返されて保持部１８を挟み込んだ場合に、台紙１２の裏面側において、台紙１２の保持部１８及び抑え部２０を形成する切り込み（保持用切り込み部１６）を覆う位置まで延びるように形成されている。これにより、挟持片２６の、台紙１２の保持部１８への引っかかりがより確実となり、台紙１２の前後（表裏）方向への変位を強固に抑制することができる。
【００４８】
また、このケース本体１４の挟持片２６は、弾性変形により折り返されている。具体的には、挟持用折り返し線３２ｇ、３２ｈにより折り返された挟持片２６は、図１乃至図５に示すように、折り曲げ加工により、ケース用シート１３と同様の平面状に戻ろうとする復元力が働き、この復元力により挟持片２６の表面と裏面とが離反するように拡開しようとして、ケース本体１４を台紙１２に挿入した場合には、台紙１２の表面の１２Ａの表裏に跨るようにして、台紙１２の挿入切り込み部１６に係止する。これにより、特に別個に抜け止めのための手段を設けることなく、台紙１２への挿入のための挟持片２６を設けるだけで、ケース本体１４の台紙１２からの上方向（挿入切り込み部１６側）への抜けを防止することができる。
【００４９】
また、係止片２８は、図７に示すように、収納部２４の上蓋部２４ｄから連続して延びるようにして形成され、上蓋部２４ｄと係止片２８との間に形成された第９の折り返し線３２ｉを、図７乃至図９に示すように、山折りして、収納部２４の正面部２４ａに対向する位置において、ちょうど底面となるように配置する。この場合、係止片２８は、図８及び図９に示すように、挟持片２６の表面と裏面との間に挟まれるようにして折り込む。
【００５０】
この係止片２８は、特に図７乃至図９に示すように、係止片２８の端部から左右に突出するようにして形成された係止部２８Ａを有している。一方、挟持片２６の折り返し部分（挟持用折り返し部３２ｇ、３２ｈ）には、特に図７から解るように、係止用切り込み２６Ａが形成され、係止片２８の係止部２８Ａは、係止片２８を折り畳んだ場合に、図１乃至図４、図９乃至図１３、図１５及び図１６、図１８及び図１９に示すように、この係止用切り込み２６Ａに係合する。このため、係止片２８は、図９に示す状態で保持され、特に、この係止片２８が上蓋部２４ｄに連続して形成されているため、ひいては、上蓋部２４ｄが開くのを防止することができる。これにより、係止片２８が台紙１２の上下方向へ変位することがなく、いわば収納部２４の蓋止めとして適切に機能するため、対象物を適切に収納部２４内に保持して落下や盗難等を防止することができる。
【００５１】
一方、受け片３０は、図７に示すように、収納部２４の下蓋部２４ｅから連続して延びるようにして形成され、下蓋部２４ｅと受け片３０との間に形成された第１０の折り返し線３２ｊを、図７乃至図９に示すように、山折りして、収納部２４の正面部２４ａに対向する位置において、ちょうど底面となるように配置する。この場合、受け片３０も、係止片２８と同様、図８及び図９に示すように、挟持片２６の表面と裏面との間に挟まれるようにして折り込む。なお、この受け片３０は、図７乃至図９に示すように、下蓋部２４ｅよりも幅広に、具体的には、折り畳まれた左右の２つの挟持片２６の挟持用折り返し線３２ｇ、３２ｈ間の幅よりも狭いが、収納部２４の正面部２４ａの幅よりは広く左右の２つの挟持片２６に挟み込むことができる幅に形成されている。
【００５２】
なお、図面において、符号３４は、中蓋片を示し、図８及び図９に示すように、それぞれ収納部２４の側面部２４ｂ、２４ｃから山折りされて、上蓋部２４ｄ、下蓋部２４ｅの下側に配置されることにより、中蓋として機能する。
【００５３】
また、ケース本体１４の挟持片２６には、折り返しの裏面のうち係止片２８とは反対側の一端のみが、ケース用本体１４を立体的形状に成形した場合に収納部２４よりも下方に延出するようにして１枚状に形成された挿入案内部２６Ｂが形成されている。この挿入案内部２６Ｂは、特に図１０及び図１１に示すように、ケース本体１４を台紙１２に取り付ける場合に、台紙１２の挿入切り込み部２２へのケース本体１４の挿入を案内する役割を有する。また、この挿入案内部２６Ｂは、挿入切り込み部２２へ挿入しやすいように、先端に向かって先細るテーパ状に形成されている。
【００５４】
この挿入案内部２６Ｂは、図１０に示すように、挿入切り込み部２２へ挿入されると共に、図１１に示すように、台紙１２の保持部１８の下側に入り込むようにして挿入され、そのまま下方へ押し下げることにより、挟持片２６の表面及び裏面の間に保持部１８を挟み込むようにして、ケース本体１４を台紙１２に取り付けることができる。この場合、挿入案内部２６Ｂは、折り返し状ではなく、１枚状であるため、挟持片２６を、より一層簡易に台紙１２の挿入切り込み部２２及び保持部１８の下側に差し込むことができ、対象物を収納したケース本体１４の台紙１２への取付作業の効率を向上させることができる。
【００５５】
更に、挟持片２６は、折り返しの表面のうち係止片２８とは反対側の端部も、図７乃至図１１に示すように、ケース用本体１４を立体的形状に成形した場合に収納部２４よりも若干（挿入案内部２６Ｂよりは短く）下方に延出するようにしてテーパー状に形成された突出部２６Ｃを有する。この突出部２６Ｃは、図１乃至図４に示すように、ケース本体１４の収納部２４を、保持用切り込み部１６の最下端まで差し込んだ場合に、収納部２４よりも更に下方において、台紙１２の表面１２Ａと裏面１２Ｂとの間に挟まれる。これにより、収納部２４は台紙１２の表面１２Ａ側に存在する一方、この突出部２６Ｃは台紙１２の表面１２Ａと裏面１２Ｂとの間に挟まれているため、ケース本体１４が、台紙１２から下方に落下しないように保持することができ、同時に、受け片３０が収納部２４よりも幅広に形成されているため、収納部２４に対象物を収納してその重さが負荷されても、受け片３０に連続している下蓋部２４ｅが開くことがない。
【００５６】
なお、この挟持片２６の突出部２６Ｃにより、ケース本体１４の台紙１２からの下方への変位が規制されるため、受け片３０には、係止片２８と同様の係止部２８Ａを形成することは必ずしも要しない。即ち、ケース本体１４の係止部２８Ａは、少なくとも、ケース本体１４を台紙１２に取り付けた場合に収納部２４のうち台紙１２の挿入切り込み部２２に対応する側（図面の上方側）の一端に形成されていれば良く、挿入切り込み部とは反対側（図面の下方側）の他端の受け片３０には、必ずしも形成する必要はない。もっとも、より確実な保持を実現するため、受け片３０にも、係止部２８Ａを形成して、係止片２８として機能させることもできる。
【００５７】
これらの係止片２８や受け片３０の位置や向きは、あくまで相対的なものであって、図示の実施の形態と異なり、挿入切り込み部２２を上方向ではなく、横方向に設置して把握することもできる。
【００５８】
なお、このケース用シート１３、ひいては、ケース本体１４は、対象物を保持することができる強度を備え、折り曲げ加工ができる材質であれば特に限定はないが、例えば、ポリプロピレン（ＰＰ）やポリエチレンテレフタレート（ＰＥＴ）等のある程度の強度を有する透明性材料から形成することができる。これにより、対象物を確実に保持することができると同時に、対象物を目視により確認することができる。このケース用シート１３は、その成形方法については特に限定はなく、適宜選択することができるが、例えば、シート状のＰＰやＰＥＴ等の透明性材料を木型で型抜き（トムソン抜き）することにより図７に示す所定の形状に形成することができる。
【００５９】
更に、折り曲げ前のケース本体１４、即ち、ケース用本体１３はシート状であるため、ケース本体１４に簡易に印刷をすることができ、ケース本体１４に様々な意匠を施してユーザーのニーズに的確に応えることができる。
【００６０】
但し、ケース本体１４は、全体を折り曲げ加工して成形することは必ずしも必須ではなく、挟持片２６及び係止片２８を有すれば、特に、収納部２４は、金型で成形されたブリスター状の収納部２４とすることもできる。同様に、挟持片２６も、必ずしも、手作業による折り曲げ加工に限らず、熱曲げにより屈曲成形することにより折り曲げることもできる。この場合であっても、当該形状から挟持片２６を潰すようにして（表面及び裏面が近接するようにして）台紙１２に挿入した後、元の形状に復元しようとする復元力により拡開させて、挟持片２６を挿入切り込み部２２に跨って係合させることができる。
【００６１】
（３．ケース本体の台紙への取付け）
次に、ケース本体１４の台紙１２への取付状態について説明すると、まず、台紙用紙片１１を、図６に示す状態から台紙折り返し線１１ａで折り返して２つ折り状態として、台紙１２とした上で、その表面１２Ａと裏面１２Ｂとを、両面テープや接着剤等の適宜の手段により貼り合わせる。
【００６２】
次いで、ケース用シート１３を、図７に示す状態から各折り目線３２を、図８に示すように所定の方向に折り曲げて、図９に示す立体的形状を有するケース本体１４とする。更に、ケース本体１４の収納部２４に対象物を収納した上で、台紙１２に取り付ける。この場合、図９に示すように、係止片２８の係止部２８Ａを、挟持片２６の係止用切り込み２６Ａに差し込んで係止させ、係止片２６と連続している上蓋部２４ｄが開くのを防止する。
【００６３】
その後、挟持片２６の１枚シート状の挿入案内部２６Ｂを、台紙１２の挿入切り込み部２２から差し込んで下方にスライドさせ、図１０乃至図１９に示すように、挟持片２６の裏面側にある挿入案内部２６Ｂを台紙１２の保持部１８の裏側（台紙１２の表面１２Ａと裏面１２Ｂとの間）に挿入する一方、挟持片２６の表面側を台紙１２の保持部１８表面上をスライドさせて、更に下方に押し下げることにより、特に図１７に示すように、ケース本体１４の挟持片２６により、台紙１２の保持部１８を挟み込む。
【００６４】
一方、ケース本体１４の挟持片２６を、図１６及び図１８及び図１９に示すように、挟持片２６の表面側を台紙１２の抑え部２０の裏側（台紙１２の表面１２Ａと裏面１２Ｂとの間）に挿入することにより、挟持片２６は、抑え部２０部分においては、抑え部２０により抑えられて挟持片２６の台紙２０からの浮き上がりが抑制される。このようにして、ケース本体１４の挟持片２６（の一部）は、台紙１２の表面１２Ａ及び裏面１２Ｂに挟まれて台紙１２に取り付けられる。
【００６５】
更に、同様にして、下方の保持部１８についても、挟持片２６により挟み込みながら、図１乃至図４に示すように、ケース本体１４を保持用切り込み部１６の最下端まで押し下げ、挟持片２６の突出部２６Ｃを収納部２４よりも更に下方において台紙１２の表面１２Ａと裏面１２Ｂとの間に挟み込むと共に、ケース本体１４の挟持片２６の全体を台紙１２の挿入切り込み部２２よりも下方まで挿入する。その後、ケース本体１４がシート状に復元しようとする復元力により、弾性的に折り曲げられた挟持片２６の上端が拡開して台紙１２の挿入切り込み部２２に係止して、ケース本体１４が台紙１２に固定される。
【００６６】
この場合、ケース本体１４の挟持片２６により台紙１２の保持部１８を挟み込む一方、ケース本体１４の挟持片２６を台紙１２の抑え部２０により挟持片２６の浮き上がりを抑えているため、収納部２４は台紙１２の前後（表裏）方向に不要に変位しないように確実に固定される。
【００６７】
同時に、ケース本体１４の係止片２８の係止部２８Ａが挟持片２６の係止用切り込み２６Ａに係止しているため、係止片２８が台紙１２の上下方向へ変位することがなく、いわば収納部２４の蓋止めとして適切に機能するため、対象物を適切に収納部２４内に保持して落下や盗難等を防止することができる上に、特別な装置や器具を用いることなくケース本体１４を台紙１２に差し込むだけで簡易に組み立てることができる。
【００６８】
なお、台紙１２の表面１２Ａと１２Ｂとの貼り合わせは、ケース本体１４を台紙１２の表面１２Ａに取り付けた後に行うこともできる。また、この組み付け作業は、ユーザー（対象物の収納者）において行うこともでき、特に、特別な器具等を用いることなく誰でも簡易に組み付け作業をすることができる点で有利である。
【産業上の利用可能性】
【００６９】
本発明は、特に、化粧品や筆記具等の文房具類、その他の店頭に展示して販売される商品のパッケージに広く適用することができる。
【符号の説明】
【００７０】
１０  収納ケース
１１  台紙用紙片
１１ａ  台紙折り返し線
１２  台紙
１２Ａ  台紙の表面
１２Ｂ  台紙の裏面
１３  ケース用シート
１４  ケース本体
１６  保持用切り込み部
１８  保持部
２０  抑え部
２２  挿入切り込み部
２４  収納部
２４ａ  正面部
２４ｂ、２４ｃ  側面部
２４ｄ  上蓋部
２４ｅ  下蓋部
２６  挟持片
２６Ａ  係止用切り込み
２６Ｂ  挿入案内部
２６Ｃ  突出部
２８  係止片
２８Ａ  係止部
３０  受け片
３２  折り目線
３２ａ  第１の折り目線
３２ｂ  第２の折り目線
３２ｃ  第３の折り目線
３２ｄ  第４の折り目線
３２ｅ  第５の折り目線
３２ｆ  第６の折り目線
３２ｇ  第７の折り目線（挟持用折り目線）
３２ｈ  第８の折り目線（挟持用折り目線）
３２ｉ  第９の折り目線
３２ｊ  第１０の折り目線
３４  中蓋片
【図１】
2014037258.tif 000003
【図２】
2014037258.tif 000004
【図３】
2014037258.tif 000005
【図４】
2014037258.tif 000006
【図５】
2014037258.tif 000007
【図６】
2014037258.tif 000008
【図７】
2014037258.tif 000009
【図８】
2014037258.tif 000010
【図９】
2014037258.tif 000011
【図１０】
2014037258.tif 000012
【図１１】
2014037258.tif 000013
【図１２】
2014037258.tif 000014
【図１３】
2014037258.tif 000015
【図１４】
2014037258.tif 000016
【図１５】
2014037258.tif 000017
【図１６】
2014037258.tif 000018
【図１７】
2014037258.tif 000019
【図１８】
2014037258.tif 000020
【図１９】
2014037258.tif 000021